(57)【要約】【課題】学習用コンテンツの流出を防止する。【解決手段】サーバー１には、教材データ（１１ａ、１１ｂ）と動画データ（１１ｃ、１１ｄ）とを含む学習用コンテンツ１１ｅが授業単位毎に記憶されている。画像形成装置２は、受講者ＵＳＲが受講する授業単位の指定を受け付けると共に、受講者ＵＳＲに貸し出す再生機３の登録を受け付ける利用受け付け部と、再生機３と近距離無線通信を行う近距離無線通信部と、登録された再生機３に指定された授業単位の動画データを近距離無線通信部経由で送信するコンテンツ送信処理部とを備えている。再生機３は、受講者ＵＳＲに貸し出され、画像形成装置２から受信されてくる動画データをストリーム再生する。【選択図】図１
2018017993.tif 000002
【特許請求の範囲】
【請求項１】
教材データを含む学習用コンテンツが授業単位毎に記憶された記憶装置と、前記教材データを印刷する画像形成装置と、受講者に貸し出す再生機とからなる学習システムであって、
前記記憶装置には、前記学習用コンテンツとして前記授業単位毎の動画データが記憶されており、
前記画像形成装置は、
前記受講者が受講する前記授業単位の指定を受け付けると共に、前記受講者に貸し出す前記再生機の登録を受け付ける利用受け付け部と、
前記再生機と近距離無線通信を行う近距離無線通信部と、
登録された前記再生機に指定された前記授業単位の動画データを前記近距離無線通信部経由で送信するコンテンツ送信処理部とを具備し、
前記再生機は、前記画像形成装置から受信されてくる前記動画データをストリーム再生することを特徴とする学習システム。
【請求項２】
前記近距離無線通信部の近距離無線通信範囲は、自装置が設置された部屋内に設定されている
ことを特徴とする請求項１に記載の学習システム。
【請求項３】
前記利用受け付け部は、
前記受講者の受講時間の指定を受け付け、
前記画像形成装置は、
前記教材データとしてテスト問題と解答用紙を印刷する印刷部と、
前記受講時間の終了を受け付けると、前記テスト問題を読み取って、前記印刷部により印刷された前記テスト問題の全ページを回収したか否かの確認結果を報知する回収確認部と
を備えたことを特徴とする請求項１又は２に記載の学習システム。
【請求項４】
前記画像形成装置は、
前記解答用紙を読み取って採点結果を取得する採点処理部を備え、
前記コンテンツ送信処理部は、
前記採点結果で不正解となった前記テスト問題の解説の前記動画データを、予め決められた重要度が高い問題順に前記受講時間内に前記再生機による再生が終了する分だけ前記再生機に送信する
ことを特徴とする請求項３に記載の学習システム。
【請求項５】
前記印刷部は、
前記コンテンツ送信処理部により送信されなかった前記テスト問題の前記解説の前記動画データがある場合に、送信されなかった前記テスト問題の前記解説の前記動画データ内の板書シーンを印刷する
ことを特徴とする請求項４に記載の学習システム。
【発明の詳細な説明】
【技術分野】
【０００１】
本発明は、ネットワークを介して学習用コンテンツを受講者に提供する学習システムに関する。
【背景技術】
【０００２】
ｅラーニング等の学習システムにおいては、ネットワークを介して学習用コンテンツが利用者（受講者）に提供される。このような学習システムとしては、例えば、サーバーの学習用コンテンツをパスワードで保護しておき、利用者が、講座で使用する印刷教材を購入することにより、印刷教材に記載されたパスワードを用いてサーバーから学習用コンテンツを入手できるようにしたものがある（例えば、特許文献１を参照）。
【先行技術文献】
【特許文献】
【０００３】
【特許文献１】特開2007-086974号公報
【発明の概要】
【発明が解決しようとする課題】
【０００４】
しかしながら、特許文献１の技術では、パスワードが流出した場合には学習用コンテンツも流出する虞があり、学習用コンテンツの保護が不十分であるという問題があった。
【０００５】
本発明は上記課題に鑑みてなされたものであり、学習用コンテンツの流出を防止することができる学習システムを提供することを目的とする。
【課題を解決するための手段】
【０００６】
本発明の学習システムは、教材データを含む学習用コンテンツが授業単位毎に記憶された記憶装置と、前記教材データを印刷する画像形成装置と、受講者に貸し出す再生機とからなる学習システムであって、前記記憶装置には、前記学習用コンテンツとして前記授業単位毎の動画データが記憶されており、前記画像形成装置は、前記受講者が受講する前記授業単位の指定を受け付けると共に、前記受講者に貸し出す前記再生機の登録を受け付ける利用受け付け部と、前記再生機と近距離無線通信を行う近距離無線通信部と、登録された前記再生機に指定された前記授業単位の動画データを前記近距離無線通信部経由で送信するコンテンツ送信処理部とを具備し、前記再生機は、前記画像形成装置から受信されてくる前記動画データをストリーム再生することを特徴とする。
また、前記近距離無線通信部の近距離無線通信範囲は、自装置が設置された部屋内に設定されていてもよい。
また、前記利用受け付け部は、前記受講者の受講時間の指定を受け付け、前記画像形成装置は、前記教材データとしてテスト問題と解答用紙を印刷する印刷部と、前記受講時間の終了を受け付けると、前記テスト問題を読み取って、前記印刷部により印刷された前記テスト問題の全ページを回収したか否かの確認結果を報知する回収確認部とを備えてもよい。
また、前記画像形成装置は、前記解答用紙を読み取って採点結果を取得する採点処理部を備え、前記コンテンツ送信処理部は、前記採点結果で不正解となった前記テスト問題の解説の前記動画データを、予め決められた重要度が高い問題順に前記受講時間内に前記再生機による再生が終了する分だけ前記再生機に送信してもよい。
また、前記印刷部は、前記コンテンツ送信処理部により送信されなかった前記テスト問題の前記解説の前記動画データがある場合に、送信されなかった前記テスト問題の前記解説の前記動画データ内の板書シーンを印刷してもよい。
【発明の効果】
【０００７】
本発明によれば、学習用コンテンツの流出を防止することができる。
【図面の簡単な説明】
【０００８】
【図１】本発明に係る実施形態の学習システムのシステム構成図である。
【図２】図１に示す画像形成装置と再生機の構成をそれぞれ示す機能ブロック図である。
【図３】図１に示す学習システムの処理の流れを示すフローチャートである。
【発明を実施するための形態】
【０００９】
以下、図を参照して本発明の実施形態を詳細に説明する。なお、以下の実施形態において、同様の機能を示す構成には、同一の符号を付してある。
【００１０】
図１を参照すると、学習システム１００は、授業単位毎に教材データを含む学習用コンテンツ１１ｅを記憶したサーバー１と、自習室に設置され、サーバー１に記憶された教材データを印刷する画像形成装置２と、自習室を利用する受講者ＵＳＲに貸し出される再生機３とを備えている。
【００１１】
サーバー１は、コンテンツ記憶部１１と、サーバー制御部１２と、サーバー通信部１３とを備えている。
【００１２】
コンテンツ記憶部１１は、半導体メモリーやＨＤＤ（Hard Disk Drive）等の記憶手段であり、授業単位毎に学習用コンテンツ１１ｅを記憶している。学習用コンテンツ１１ｅには、教材データと、動画データとがそれぞれ授業単位毎に含まれている。教材データには、テキスト用データ１１ａと、テストを実施するためのテストデータ１１ｂとが含まれる。テストデータ１１ｂは、テスト問題データと、テスト問題に対応した解答用紙データとが含まれている。解答用紙データは、マークシート式である場合や記述式である場合がある。解答用紙データがマークシート式である場合には、テスト問題の解答データがテストデータ１１ｂに含まれる。動画データには、授業動画データ１１ｃと、テスト問題毎の解説動画データ１１ｄとが含まれている。
【００１３】
サーバー通信部１３は、ＬＡＮ（Local Area Network）等のネットワークを介して画像形成装置２との間で各種データを送受信する機能を有する。
【００１４】
サーバー制御部１２は、マイクロコンピューター等の情報処理部である。サーバー制御部１２は、画像形成装置２からのアクセスのみ受け付けるようにアクセス制限を行っており、サーバー通信部１３を介して取得が要求された学習用コンテンツ１１ｅを画像形成装置２に送信する。つまり、サーバー１に記憶された学習用コンテンツ１１ｅを入手するためには必ず画像形成装置２を経由する必要があり、パスワードを入力すればどこからでも学習用コンテンツ１１ｅを入手できる場合に比べて、学習用コンテンツ１１ｅの外部への流出を防止できる。なお、サーバー１は、アクセス制限をかけた状態で学習用コンテンツ１１ｅを記憶できればよく、外付けの記憶装置であってもよい。また、コンテンツ記憶部１１は、記憶装置として画像形成装置２に内蔵されていてもよい。
【００１５】
画像形成装置２は、例えばＭＦＰ（Multifunction Printer）であり自習室に設置されている。画像形成装置２は、自習室の管理人によって管理されている。図２を参照すると、画像形成装置２は、操作部２１と、原稿読み取り部２２と、画像処理部２３と、記憶部２４と、印刷部２５と、ファクス部２６と、近距離無線通信部２７と、通信部２８と、制御部２９とを備えている。
【００１６】
操作部２１は、液晶表示パネルの表面に透明の感圧センサーが設けられた表示手段及び入力手段として機能するタッチパネル、印刷枚数等の数値を入力するためのテンキー、設定情報を初期化させる指示を入力するためのリセットキー、複写動作を停止させたりするためのストップキー、印刷動作を開始させる出力指示を入力するためのスタートキー等の各種操作キーを備えたユーザーインターフェースである。
【００１７】
原稿読み取り部２２は、図示しない原稿給紙装置により給紙されてきた原稿や、ユーザーによってプラテンガラスに載置された原稿に対して光を照射し、その反射光等を受光して原稿画像を光学的に読み取るスキャナーである。
【００１８】
画像処理部２３は、画像データに対して所定の画像処理を行う手段である。画像処理部２３では、例えば、拡大縮小処理や、濃度調整、階調調整等の画像改善処理が行われる。
【００１９】
記憶部２４は、半導体メモリーやＨＤＤ（Hard Disk Drive）等の記憶手段であり、原稿読み取り部２２によって読み取られた画像データを記憶する記憶手段である。
【００２０】
印刷部２５は、記憶部２４に記憶された画像データやサーバー１から取得された教材データを文書画像として印刷する印刷手段である。印刷部２５は、例えば、記憶部２４から読み出した画像データに基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。
【００２１】
ファクス部２６は、モデムを有し、原稿読み取り部２２によって読み取られた画像データからファクシミリ信号を生成し、生成したファクシミリ信号を電話回線網で送信するファクシミリ送信機能と、電話回線網でファクシミリ信号を受信し、受信したファクシミリ信号から画像データを生成するファクシミリ受信機能とを備えている。なお、ファクシミリ受信機能により受信生成された画像データは、記憶部２４に記憶されたり、印刷部２５によって印刷されたりする。
【００２２】
近距離無線通信部２７は、ＺｉｇＢｅｅ(登録商標)、Ｂｌｕｅｔｏｏｔｈ(登録商標)等による近距離無線通信を行う機能を有する。近距離無線通信部２７の近距離無線通信範囲は、画像形成装置２が設置された自習室の部屋内となるように設定されている。
【００２３】
通信部２８は、ＬＡＮ等のネットワークを介してサーバー１との間で各種データを送受信する機能を有する。
【００２４】
制御部２９は、操作部２１と、原稿読み取り部２２と、画像処理部２３と、記憶部２４と、印刷部２５と、ファクス部２６と、近距離無線通信部２７と、通信部２８とにそれぞれ接続され、操作部２１から入力された所定の指示情報に応じて装置全体の動作制御を実行する。制御部２９は、ＲＯＭ（Read Only Memory）、ＲＡＭ（Random Access Memory）等を備えたマイクロコンピューター等の情報処理部である。ＲＯＭには画像形成装置２の動作制御を行うための制御プログラムが記憶されている。制御部２９は、ＲＯＭに記憶されている制御プログラムを読み出し、制御プログラムをＲＡＭに展開させることで、操作部２１から入力された所定の指示情報に応じて装置全体の制御を行う。
【００２５】
また、制御部２９は、利用受け付け部２９１、コンテンツ取得部２９２、コンテンツ送信処理部２９３、採点処理部２９４、回収確認部２９５として機能する。
【００２６】
利用受け付け部２９１は、操作部２１を介して自習室を利用する受講者ＵＳＲの利用情報の入力を受け付けて、受講者ＵＳＲの名前や受講者ＩＤの登録、受講者ＵＳＲが受講する授業単位の指定と、受講者ＵＳＲに貸し出す再生機３の再生機ＩＤの登録と、受講者ＵＳＲの受講時間（自習室を利用する利用時間）の指定等を受け付ける。受講者ＵＳＲは、自習室の利用料金として時間単位又は定期契約によって決められた料金を支払う。
【００２７】
コンテンツ取得部２９２は、利用受け付け部２９１を介して指定された授業単位の学習用コンテンツ１１ｅとして、テキスト用データ１１ａとテストデータ１１ｂと授業動画データ１１ｃとテスト問題毎の解説動画データ１１ｄとを通信部２８経由でサーバー１から取得する。なお、解説動画データ１１ｄは、後述する採点処理部２９４による採点結果が出てから取得される。
【００２８】
コンテンツ送信処理部２９３は、利用受け付け部２９１を介して登録された再生機３に、指定された授業単位の授業動画データ１１ｃ又は解説動画データ１１ｄを近距離無線通信部２７経由でストリーム送信する。また、コンテンツ送信処理部２９３が、解説動画データ１１ｄを再生機３に送信する場合には、利用受け付け部２９１で受け付けた受講時間を超えないように、解説動画データ１１ｄの再生時間長を調整する。
【００２９】
採点処理部２９４は、原稿読み取り部２２を介して解答用紙を読み取って、採点結果を取得する機能を有する。解答用紙がマークシート式である場合、テストデータ１１ｂにはテスト問題の解答が含まれており、採点処理部２９４は、原稿読み取り部２２を介して読み取った解答用紙の解答とテスト問題の解答とを照合して採点する。採点処理部２９４は、解答用紙が記述式等で採点できない場合には、予め指定された採点官にファクス部２６を介して解答用紙をファクス送信し、採点官により採点された解答用紙をファクス部２６経由で受信する。採点官により採点された解答用紙は、採点処理部２９４がテスト問題の正誤を識別可能に採点されており、採点結果の取得が可能であるものとする。なお、解答用紙は採点官にファクスではなく、メールで送信されてもよい。また、採点に時間が掛かる場合には、受講者ＵＳＲが次回受講するときにテストの解説が行われるようにしてもよい。
【００３０】
回収確認部２９５は、操作部２１を介して、受講者ＵＳＲの受講時間の終了を受け付けると、テスト問題と再生機３の回収の登録を受け付ける。回収確認部２９５は、原稿読み取り部２２を介して、受講者ＵＳＲから回収されたテスト問題を読み取って、テスト問題の全ページが回収されたか否かを確認して、確認結果を報知する機能を有する。例えば、回収確認部２９５は、読み取ったテスト問題のページ数と受講者ＵＳＲに配布されたテスト問題のページ数とを照合したり、読み取ったテスト問題の各ページ画像と受講者ＵＳＲに配布されたテスト問題の各ページ画像とを照合したりして、回収確認を行う。なお、テスト問題には、受講者ＩＤ等の受講者ＵＳＲを識別する識別情報が印刷されている。回収確認部２９５は、原稿読み取り部２２を介して読み取ったテスト問題がどの受講者ＵＳＲのものであるか識別可能である。回収確認部２９５は、各受講者ＵＳＲにおけるテスト問題の回収確認結果の一覧を表示させたり印刷させたりしてもよい。
【００３１】
再生機３は、画像形成装置２からストリーム送信される動画データをストリーム再生する表示装置であり、操作部３１と、近距離無線通信部３２と、再生制御部３３とを有する。
【００３２】
操作部３１は、画像形成装置２から受信した動画データを表示する表示部と、操作指示を受け付ける各種の操作キーとを備えている。操作部３１は、タッチパネルであってもよい。
【００３３】
近距離無線通信部３２は、画像形成装置２と近距離無線通信を行って、動画データを受信する機能を有する。また、近距離無線通信部３２は、自習室内で画像形成装置２と近距離無線通信が可能に設定されている。言い換えれば、近距離無線通信部３２は、自習室外で画像形成装置２と近距離無線通信できないように設定されており、動画データの受信場所が自習室内に制限されている。
【００３４】
再生制御部３３は、マイクロコンピューター等の情報処理部であり、近距離無線通信部３２を介して画像形成装置２から受信した動画データをストリーム再生して操作部３１に表示させる。つまり、画像形成装置２から受信した動画データはストリーム再生されるため、再生機３にダウンロードされない。そのため、再生機３が自習室外に持ち出された場合には、近距離無線通信部３２を介して動画データの受信ができなくなるため、再生が不可能となる。
【００３５】
次に、図３を参照して、学習システム１００の処理手順の流れを説明する。
【００３６】
まず、画像形成装置２の利用受け付け部２９１は、自習室を利用する受講者ＵＳＲの利用情報が入力されると（ステップｓ１１）、利用受け付けを行う（ステップｓ１２）。利用受け付けでは、自習室の管理人によって、受講者ＵＳＲを識別する受講者ＩＤや、受講時間（受講開始時刻、受講終了時刻）、受講する授業単位の指定、受講者ＵＳＲに貸し出される再生機３の登録等が受け付けられる。
【００３７】
つづいて、コンテンツ取得部２９２は、利用受け付け部２９１で指定された授業単位の学習用コンテンツ１１ｅの取得要求をサーバー１に送信する（ステップｓ１３）。コンテンツ取得部２９２は、取得要求に応じたサーバー制御部１２から、指定した授業単位の学習用コンテンツ１１ｅとして、テキスト用データ１１ａとテストデータ１１ｂと授業動画データ１１ｃとを取得する（ステップｓ１４）。
【００３８】
つづいて、印刷部２５は、コンテンツ取得部２９２により取得された教材データの印刷を行う（ステップｓ１５）。これにより、テキスト用データ１１ａに基づいてテキストが印刷され、テストデータ１１ｂに基づいてテスト問題と解答用紙とが印刷される。印刷物は登録された再生機３と共に自習室の管理人によって受講者ＵＳＲに手渡される（ステップｓ１６、ステップｓ１７）。
【００３９】
つづいて、コンテンツ送信処理部２９３は、例えば受講開始時刻になると、コンテンツ取得部２９２により取得された授業動画データ１１ｃを登録された再生機３に近距離無線通信部２７経由でストリーム送信する（ステップｓ１８）。
【００４０】
画像形成装置２から授業動画データが送信されると、再生機３により授業動画がストリーム再生され（ステップｓ１９）、受講者ＵＳＲは印刷されたテキストを参照しながら授業を受ける（ステップｓ２０）。
【００４１】
つづいて、受講者ＵＳＲは、印刷されたテスト問題と解答用紙とを用いてテストを行う（ステップｓ２１）。
【００４２】
テストが終了すると、受講者ＵＳＲは、画像形成装置２に解答用紙をセットして、読み取り指示を出す。採点処理部２９４は、読み取り指示を受け付けて、原稿読み取り部２２により解答用紙を読み取って（ステップｓ２２）、採点処理を行う（ステップｓ２３）。採点処理では、ファクス部２６を介して採点官に解答用紙を採点させたり、読み取った解答用紙がマークシート式である場合には予め取得してある解答と照合して採点したりすることが行われる。
【００４３】
つづいて、コンテンツ取得部２９２は、採点されたテスト問題の解説動画データ１１ｄの取得要求をサーバー１に送信して（ステップｓ２４）、取得要求に応じたサーバー１から解説動画データ１１ｄを取得する（ステップｓ２５）。コンテンツ取得部２９２は、全てのテスト問題の解説動画データ１１ｄを取得してもよいし、採点結果で不正解のテスト問題の解説動画データ１１ｄだけを取得してもよい。
【００４４】
つづいて、コンテンツ送信処理部２９３は、コンテンツ取得部２９２により取得された解説動画データ１１ｄの編集を行う（ステップｓ２６）。具体的には、コンテンツ送信処理部２９３は、コンテンツ取得部２９２により取得された解説動画データ１１ｄ全ての再生時間が利用受け付け部２９１で受け付けた受講時間（現在時刻＋送信用の所定時間〜受講終了時刻）内に収まるか否かを判断する。そして、収まらない場合には、コンテンツ送信処理部２９３は、採点結果で不正解となったテスト問題の解説動画データ１１ｄを、予め決められた重要度が高い問題順に、受講時間内に再生機３による再生が終了する分だけ選択して再生機３に送信する（ステップｓ２７）。これにより、各受講者ＵＳＲに応じた解説動画データ１１ｄが選択されて再生機３に送信される。
【００４５】
画像形成装置２から解説動画データ１１ｄが送信されると、再生機３で解説動画データ１１ｄのストリーム再生が行われ（ステップｓ２８）、受講者ＵＳＲは解説を確認することができる（ステップｓ２９）。
【００４６】
解説の確認が終わると、受講者ＵＳＲの受講時間が終了するので、自習室の管理人の操作により、回収確認部２９５は、受講時間の終了（利用終了）を受け付ける（ステップｓ３０）。つづいて、自習室の管理人が受講者ＵＳＲからテスト問題と再生機３とを受け取って回収すると、管理人の操作によって回収確認部２９５は、テスト問題と再生機３の回収の登録を受け付ける（ステップｓ３１）。つづいて、回収確認部２９５は、テスト問題の回収チェックを行う（ステップｓ３２）。回収チェックでは、回収確認部２９５は、原稿読み取り部２２を介して、回収されたテスト問題を読み取って、テスト問題の全ページを回収したか（読み取ったか）否かを確認する。予め、記憶部２４には照合用にテスト問題の全ページの画像が記憶されている。回収確認部２９５は、照合用のテスト問題の各ページと原稿読み取り部２２により読み取られたテスト問題のページとを照合したりすることで、テスト問題の回収を確認すればよい。回収確認部２９５、確認結果を操作部２１に表示したり印刷部２５を介して印刷したりする。例えば、回収確認部２９５は、テスト問題を全ページ回収していないと判断した場合には、操作部２１にエラーメッセージを表示し、テスト問題の持ち去りがあることを警告する。これにより、管理人は、簡単にテスト問題の持ち去りを確認することができる。回収チェックが終了すると、本処理は終了する。
【００４７】
このように、本実施形態の学習システム１００は、教材データを含む学習用コンテンツ１１ｅが授業単位毎に記憶されたサーバー１（記憶装置）と、教材データを印刷する画像形成装置２と、受講者に貸し出す再生機３とからなる。サーバー１には、学習用コンテンツとして授業単位毎の動画データが記憶されている。画像形成装置２は、受講者ＵＳＲが受講する授業単位の指定を受け付けると共に、受講者ＵＳＲに貸し出す再生機３の登録を受け付ける利用受け付け部２９１と、再生機３と近距離無線通信を行う近距離無線通信部２７と、登録された再生機３に指定された授業単位の動画データを近距離無線通信部２７経由で送信するコンテンツ送信処理部２９３とを具備する。再生機３は、画像形成装置２から受信されてくる動画データをストリーム再生する。そのため、本実施形態によれば、学習用コンテンツ１１ｅは画像形成装置２を介してのみ取得可能であり、授業動画データ１１ｃや解説動画データ１１ｄの再生は、自習室内に位置する再生機３でのみ受信及び再生可能となり、学習用コンテンツ１１ｅの流出を防止することができる。
【００４８】
また、本実施形態では、自習室に画像形成装置２を設置することで学習環境を構築することができるので、学校等の大掛かりな学習施設がなくても簡単に受講者ＵＳＲに学習環境を提供することができる。また、本実施形態によれば、教師がその場にいなくても受講者ＵＳＲが学習できるため、貧困国や過疎地等の設備不足、教師不足の地域でも一定水準の学習環境を提供することができる。
【００４９】
なお、コンテンツ送信処理部２９３により送信されなかったテスト問題の解説動画データ１１ｄがある場合には、印刷部２５は、送信されなかったテスト問題の解説動画データ１１ｄ内の板書シーンを印刷するようにしてもよい。受講時間が足りなくて、送信されなかった解説動画データ１１ｄは、比較的重要度の低いものである。そのため、再生できなかった解説動画の板書シーンの画像を抜き出して印刷することにより、受講者ＵＳＲは解説動画を確認しなくても解説を理解することができる。なお、印刷部２５は、予め設定された黒板画像の特徴点や輝度等に基づいて板書シーンの画像を特定することができる。
【００５０】
本発明は上述した実施の形態に限定されるものではなく、本発明の趣旨を逸脱しない範囲で種々様々に変更が可能であることは言うまでもない。
【符号の説明】
【００５１】
１００  学習システム
１  サーバー（記憶装置）
２  画像形成装置
３  再生機
１１  コンテンツ記憶部
１１ａ  テキスト用データ
１１ｂ  テストデータ
１１ｃ  授業動画データ
１１ｄ  解説動画データ
１１ｅ  学習用コンテンツ
１２  サーバー制御部
１３  サーバー通信部
２１  操作部
２２  原稿読み取り部
２３  画像処理部
２４  記憶部
２５  印刷部
２６  ファクス部
２７  近距離無線通信部
２８  通信部
２９  制御部
２９１  利用受け付け部
２９２  コンテンツ取得部
２９３  コンテンツ送信処理部
２９４  採点処理部
２９５  回収確認部
３１  操作部
３２  近距離無線通信部
３３  再生制御部
ＵＳＲ  受講者
【図１】
2018017993.tif 000003
【図２】
2018017993.tif 000004
【図３】
2018017993.tif 000005